(57)【特許請求の範囲】
【請求項１】
演奏者の前方において楽器を支持する楽器用キャリアであって、
前記演奏者の肩に当接される肩当て部材と、
前記肩当て部材とは別体に設けられ、前記肩当て部材に直接または間接的に連結される部分を含み、かつ前記演奏者の腹部に当接される腹当て部材と、
を含み、
前記肩当て部材と前記腹当て部材との間の連結は、湾曲部または屈曲部を持つ板状部材を重ねて固定されることで面接触した状態で連結され、前記湾曲部または前記屈曲部の重ねる位置を変えることで前記肩当て部材に対する前記腹当て部材の角度を変更可能であることを特徴とする楽器用キャリア。
【請求項２】
前記肩当て部材側に位置する一部が、前記肩当て部材の少なくとも一面に配置された連結部材を有し、
重ね合される前記湾曲部または前記屈曲部の一方が前記連結部材に設けられており、前記連結部材に設けられた前記湾曲部または前記屈曲部の面と、前記肩当て部材と前記腹当て部材との少なくとも一方に設けられた前記湾曲部または前記屈曲部の面とを重ねた状態で締結手段により締結されることで、前記肩当て部材と前記腹当て部材とが連結されることを特徴とする請求項１記載の楽器用キャリア。
【請求項３】
前記肩当て部材は、前記連結部材に対して、異なる角度で連結するように、円弧状または多段階でスライド可能あるいは多段階で異なる位置で脱着可能な構成であることを特徴とする請求項２記載の楽器用キャリア。
【請求項４】
前記連結部材は、所定の間隔で対向配置された２枚の板部材を含み、
前記肩当て部材の一部が前記２枚の板部材間に配置され、
前記肩当て部材の一部がずれる際または脱着する際、前記肩当て部材の一部の二面が、前記２枚の板部材の一面と面接触することを特徴とする請求項２または３記載の楽器用キャリア。
【請求項５】
前記連結部材側に位置する前記腹当て部材は、前記２枚の板部材の間に配置されるとともに、該２枚の板部材に対して面接触し、かつ前記腹当て部材と前記肩当て部材との間が、スライド可能または脱着可能な構成であることを特徴とする請求項４記載の楽器用キャリア。
【発明の詳細な説明】
【技術分野】
【０００１】
本発明は、演奏者の前方で楽器を支持する楽器用キャリアに関する。
【背景技術】
【０００２】
従来、パレードやショー等において、マーチングドラム等の楽器を演奏者の前方で支持する楽器用キャリアが使用されている。
パレードやショー等の演奏中において、演奏者は、停止して楽器を演奏するだけでなく、移動しながら演奏することがある。このため、演奏者の身体と楽器用キャリアとの接触面積を大きくして、演奏者の体の特定の場所に楽器及び楽器用キャリアの荷重が集中しないようにすることが望ましい。
【０００３】
楽器用キャリアとしては、演奏者の肩に当接される肩当て部材を有するものがある。また、肩当て部材を有し、かつ演奏者の体への負担を小さくすることの可能性な楽器用キャリアとして、例えば、特許文献１に開示されたマーチングキャリアがある。
【０００４】
特許文献１に開示されたマーチングキャリアは、一方の端部が腹当接部材に固定され、演奏者の肩側に位置する他方の端部がＬ字状に外側に折り曲げられた一対の支持ロッドと、支持ロッドの他方の端を収容し、ねじにより支持ロッドに締め付けられる締付ロッドホルダと、締付ロッドホルダに固定され、支持ロッドの外周方向に締付ロッドホルダとともに回転可能な肩掛けストラップ（肩当て部材）と、を有する。
上記構成とされたマーチングキャリアの肩掛けストラップは、支持ロッドの端を回転軸として回動可能な構成とされているので、演奏者の体型に応じて演奏者と肩当て部材との間の接触面積を増加させることが可能となる。
【先行技術文献】
【特許文献】
【０００５】
【特許文献１】特開２００３−５７４５号公報
【発明の概要】
【発明が解決しようとする課題】
【０００６】
ところで、特許文献１に開示されたマーチングキャリアでは、肩掛けストラップの前に支持ロッドの端を収容する締付ロッドホルダが配置されている。また、楽器が支持される側に締付ロッドホルダを支持ロッドに締め付けるためのねじが配置されている。このため、演奏者の胸の前に締付ロッドホルダによる出っ張り（締付ロッドホルダ及びねじにより形成される出っ張り）が形成されてしまう。
【０００７】
このような出っ張りが存在すると、パレードやショー等の演奏中において、演奏者が衣装の下に楽器用キャリアを装着した際、出っ張りに衣装が引っ掛かったり、あるいは動いているときに局所的に擦れたりして、衣装が破損する恐れがあった。また、上記出っ張りが存在すると、衣装の上に楽器用キャリアを装着した場合において、見栄えが悪いという問題があった。
【０００８】
また、特許文献１に開示されたマーチングキャリアでは、支持ロッドの周囲をロッドホルダで締め付けることで、締付ロッドホルダを固定しているため、保持する面積が小さい。このため、支持ロッドを回転軸とする回転方向の保持力が弱くなり、演奏時にマーチングキャリアが演奏者の体からずれやすいという問題があった。特に、楽器の重量が大きい場合に、ずれの問題が顕著であった。
【０００９】
そこで、本発明は、上記事情を鑑みてなされたものであり、見栄えが良く、衣装の破損を抑制可能で、かつ演奏時に演奏者の体からのずれを抑制することの可能な楽器用キャリアを提供することを課題とする。
【課題を解決するための手段】
【００１０】
上記課題を解決するため、本発明の一観点によれば、演奏者の前方において楽器を支持する楽器用キャリアであって、前記演奏者の肩に当接される肩当て部材と、前記肩当て部材とは別体に設けられ、前記肩当て部材に直接または間接的に連結される部分を含み、かつ前記演奏者の腹部に当接される腹当て部材と、を含み、前記肩当て部材と前記腹当て部材との間の連結は、湾曲部または屈曲部を持つ板状部材を重ねて固定されることで面接触した状態で連結され、前記湾曲部または前記屈曲部の重ねる位置を変えることで前記肩当て部材に対する前記腹当て部材の角度を変更可能であることを特徴とする楽器用キャリアが提供される。
【００１１】
本発明の一観点の楽器用キャリアによれば、従来の支持ロッドに締付ロッドホルダをねじで締め付けることで形成される出っ張りよりも小さな出っ張りで連結部材と肩当て部材とを連結することが可能となる。
これにより、楽器用キャリアの見栄えを良くすることができるとともに、演奏者が衣装の下に楽器用キャリアを装着した場合に衣装が破損することを抑制できる。
また、演奏時に楽器用キャリアが演奏者の体からずれることを抑制できる。
【００１２】
上記楽器用キャリアにおいて、前記肩当て部材側に位置する一部が、前記肩当て部材の少なくとも一面に配置された連結部材を有し、重ね合される前記湾曲部または前記屈曲部の一方が前記連結部材に設けられており、前記連結部材に設けられた前記湾曲部または前記屈曲部の面と、前記肩当て部材と前記腹当て部材との少なくとも一方に設けられた前記湾曲部または前記屈曲部の面とを重ねた状態で締結手段により締結されることで、前記肩当て部材と前記腹当て部材とが連結されていてもよい。
【００１３】
このような構成とすることで、肩当て部材に対する腹当て部材の角度を容易に変更することができるとともに、確実に角度を保持できる。
【００１４】
上記楽器用キャリアにおいて、前記肩当て部材は、前記連結部材に対して、異なる角度で連結するように、円弧状または多段階でスライド可能あるいは多段階で異なる位置で脱着可能な構成であってもよい。
【００１５】
このように、連結部材に対して、異なる角度で連結するように、円弧状または多段階でスライド可能あるいは多段階で異なる位置で脱着可能な肩当て部材を有することで、肩当て部材の角度や頂点の位置を変化させることで肩掛け部材に対する楽器の位置の調整が可能となる。
これにより、演奏者の体型に肩当て部材の形状を合わせて、楽器用キャリアと演奏者との接触面積を増加させることが可能となるので、演奏時に楽器用キャリアが演奏者の体からずれることを抑制できる。
【００１６】
上記楽器用キャリアにおいて、前記連結部材は、所定の間隔で対向配置された２枚の板部材を含み、前記肩当て部材の一部が前記２枚の板部材間に配置され、前記肩当て部材の一部がずれる際または脱着する際、前記肩当て部材の一部の二面が、前記２枚の板部材の一面と面接触してもよい。
【００１７】
このように、肩当て部材の一部の二面が２枚の板部材のそれぞれの一面と面接触させることで、肩当て部材がずれる際に発生する抵抗をさらに大きくすることが可能となる。これにより、演奏時に楽器用キャリアが演奏者の体からずれることをさらに抑制できる。
【００１８】
上記楽器用キャリアにおいて、前記連結部材側に位置する前記腹当て部材は、前記２枚の板部材の間に配置されるとともに、該２枚の板部材に対して面接触し、かつ前記腹当て部材と前記肩当て部材との間が、スライド可能または脱着可能な構成であってもよい。
【００１９】
このような構成とすることで、腹当て部材の二面が２枚の板部材と面接触するため、一面のみで面接触する場合と比較して、抵抗を大きくすることが可能となる。これにより、演奏時に楽器用キャリアが演奏者の体からずれることを抑制できる。
【発明の効果】
【００２０】
本発明によれば、見栄えが良く、衣装の破損を抑制でき、かつ演奏時に演奏者から楽器用キャリアがずれることを抑制できる。
【図面の簡単な説明】
【００２１】
【図１】本発明の実施の形態に係る楽器用キャリアの斜視図である。
【図２】図１に示す楽器用キャリアの正面図である。
【図３】図１に示す楽器用キャリアの背面図である。
【図４】図２に示す楽器用キャリアの側面図である。
【図５】図４に示す楽器用キャリアの一部を拡大した側面図である。
【図６】図２に示すスライド部材の正面図である。
【図７】図４に示す楽器用キャリアを痩せた体型の演奏者が装着した状態を模式的に示す側面図である。
【図８】図４に示す楽器用キャリアを太った体型の演奏者が装着した状態を模式的に示す側面図である。
【図９】連結部材を１枚にした変形例を示す側面図である。
【図１０】４段階で調整可能な構成として、一対の板部材を省略し、腹当て部材及び肩掛け部材との間で直接連結する構成である変形例についてその主要部を示す側面図である。
【発明を実施するための形態】
【００２２】
以下、図面を参照して本発明を適用した実施の形態について詳細に説明する。なお、以下の説明で用いる図面は、本発明の実施の形態の構成を説明するためのものであり、図示される各部の大きさや厚さや寸法等は、実際の楽器用キャリアの寸法関係とは異なる場合がある。
なお、下記実施の形態において、上及び下等の方向は、特に説明がない場合、演奏者が楽器用キャリアを装着して立った状態を基準としたときの方向を示している。
【００２３】
（実施の形態）
図１は、本発明の実施の形態に係る楽器用キャリアの斜視図である。図２は、図１に示す楽器用キャリアの正面図である。図３は、図１に示す楽器用キャリアの背面図である。図４は、図２に示す楽器用キャリアの側面図である。図２〜図４において、図１に示す楽器用キャリア１０と同一構成部分には、同一符号を付す。
【００２４】
本実施の形態の楽器用キャリア１０は、腹当て部材１１と、一対のロッドクランプ１２と、一対のロッド１４と、連結部材１６と、肩当て部材１８と、背当て部材１９と、複数のワッシャープレート２１，２６と、ボルト２２−１，２２−２，２２−３，当て板２３と、複数のナットプレート２４，２８と、複数のボルト２７と、を有する。
【００２５】
腹当て部材１１は、腹当て部材本体３１と、スライド溝３２，３３と、を有する。腹当て部材本体３１は、演奏者の腹の形状に合わせるように、その側部が湾曲して形成された板状の部材である。腹当て部材本体３１の背面３１ｂは、演奏者の腹に当接される。
腹当て部材１１は、演奏者の負担を軽減する観点から、軽量の材料（例えば、アルミニウム）で構成することが好ましい。
【００２６】
スライド溝３２，３３は、腹当て部材本体３１の中央部に並行して設けられ、腹当て部材本体３１を貫通している。
スライド溝３２，３３は、連結部材１６の延在方向（言い換えれば、演奏者が楽器用キャリア１０を装着した状態での高さ方向（上下方向））に延在するように配置されている。
スライド溝３２，３３の幅は、それぞれボルト５２,５７の軸部が通過可能な大きさに設定されている。
【００２７】
一対のロッドクランプ１２は、腹当て部材本体３１の両側部の正面３１ａ下部に配置されている。
ロッドクランプ１２は、ロッド収容部３５と、突出部３６と、ワッシャープレート３８と、ボルト３９と、を有する。
【００２８】
ロッド収容部３５は、ロッド１４を挿入可能なロッド挿入穴（貫通穴）を有する。ロッド挿入穴は、ロッド収容部３５を貫通する穴である。
突出部３６は、隙間を介在させて、対向配置された２枚の板部で構成されている。２枚の板部のうち、腹当て部材本体３１の正面３１ａ側と接触する板部は、腹当て部材本体３１の背面３１ｂ側から２つのねじ３７で腹当て部材本体３１に固定されている。突出部３６は、ロッド収容部３５と一体に構成されている。
【００２９】
ボルト３９は、ワッシャープレート３８を介して、突出部３６を構成する２枚の板部に到達するように締結されている。ボルト３９を緩めると、２枚の板部間の隙間が広がることで、ロッド挿入穴も広がるため、ロッドクランプ１２内をロッド１４がロッド挿入穴の延在方向に移動可能な状態となる。
一方、ボルト３９を締結すると、２枚の板部の間の隙間が狭くなることで、ロッド挿入穴の径も狭くなるため、ロッド１４の位置が規制（言い換えれば、ロッド１４の開き具合や高さが固定）される。
【００３０】
ロッド１４は、棒状の部材の一部を折り曲げることで構成されている。ロッド１４の折り曲げられた先の一端側は、楽器を支持する機能を有する。ロッド１４は、その他端側がロッドクランプ１２のロッド挿入穴に収容された状態でボルト３９が締結されることで、ロッド１４の開き具合や高さが固定される。
例えば、楽器用キャリア１０を用いてドラムを支持する場合には、ドラムに装着されたキャリア連結部材（図示せず）に設けられた２つのロッド挿入穴のぞれぞれにロッド１４の一端側を挿入する。このため、楽器用キャリア１０を用いてドラムを支持する場合、ドラムに装着されたキャリア連結部材の２つのロッド挿入穴にロッド１４が挿入可能なように、ロッド１４の開き具合や位置を調整する必要がある。
【００３１】
なお、図１では、ロッド１４の一例として、Ｊ形状とされたロッドを例に挙げて図示したが、ロッド１４の形状は、支持する楽器に応じて適宜選択することができ、図１に示す形状に限定されない。
【００３２】
図５は、図４に示す楽器用キャリアの一部を拡大した側面図である。図５において、図１〜図３に示す楽器用キャリア１０と同一構成部分には、同一符号を付す。
なお、図５では、説明の便宜上、一対の第１の湾曲部４１−１，４２−１、及び第２の湾曲部６２−１を断面で図示する。
【００３３】
連結部材１６は、一対の板部材４１，４２と、複数のスペーサ４４と、複数のワッシャープレート４６，５１，５６と、複数のボルト４７，５２，５７と、複数のナットプレート４９，５４と、当て板５３と、を有する。
【００３４】
板部材４１は、腹当て部材１１と肩当て部材１８との間に延在する平板状部材であり、腹当て部材１１から離間するにつれて幅が細くなる形状とされている。板部材４１は、肩当て部材１８側に位置する上端部を構成する第１の湾曲部４１−１を有する。
第１の湾曲部４１−１は、板部材４１の上端部側の一部を湾曲させることで形成され、中空円筒をその軸線に沿って切った一部で構成された形状となっている。第１の湾曲部４１−１の形状は、演奏者が楽器用キャリア１０を装着した状態において、演奏者の胸から離間する方向に突出し、演奏者側には凹部が形成される形状とされている。
板部材４１は、下端部側には複数のボルト５２，５７が貫通する穴（図示せず）設けられ、その穴の位置が少なくともスライド溝３２，３３の一部と一致するように、かつ腹当て部本体３１の正面３１ａの中央部と接触するように配置されている。板部材４１は、上下方向に延在している。板部材４１の一部は、腹当て部材１１の上方に突出している。
【００３５】
板部材４２は、上述した板部材４１と同様な構成とされた部材であり、その上端部側の一部を湾曲させることで第１の湾曲部４２−１を有する。板部材４２は、腹当て部材１１の背面側に、第１の湾曲部４２−１が第１の湾曲部４１−１と対向するように板部材４１と対向して配置されている。
板状部材４１，４２の材料としては、例えば、軽量な金属であるアルミニウムを例示することができる。
【００３６】
複数のスペーサ４４は、腹当て部１１から突出した板部材４１，４２の対向する面の間に配置されている。複数のスペーサ４４は、それぞれボルト４７を挿入させることの可能な貫通穴を有する。複数のスペーサ４４の形状は、例えば、筒形状にすることができる。
複数のスペーサ４４は、その高さによって板部材４１，４２の対向させた面の間隔を所定の間隔に保つ機能を有する。
【００３７】
複数のスペーサ４４の高さは、例えば、腹当て部材本体３１の厚さ、及び肩当て部材１８を構成する後述するスライド部材６２の厚さよりも少し大きい値となるように設定するとよい。
これにより、板部材４１，４２の下端部の間に配置される腹当て部材１１がスライド可能な隙間、及び第１の湾曲部４１−１,４２−１の間に配置されるスライド部材６２の第２の湾曲部６２−１がスライド可能な隙間がそれぞれ形成される。
【００３８】
複数のボルト４７は、ワッシャープレート４６、及びスペーサ４４を貫通し、板部材４２の背面に配置されたナットプレート４９に螺合されている。これにより、板部材４１，４２が固定されている。
【００３９】
なお、本実施の形態では、一例として、スペーサ４４、ワッシャープレート４６、ボルト４７、及びナットプレート４９をそれぞれ４つ用いた場合を例に挙げて説明したが、スペーサ４４、ワッシャープレート４６、ボルト４７、及びナットプレート４９の数は、適宜選択することができ、４つに限定されない。
【００４０】
ボルト５２は、ワッシャープレート５１、スライド溝３２、板部材４２の背面に配置された当て板５３を貫通している。
ボルト５７は、ワッシャープレート５６、スライド溝３３、板部材４２の背面に配置された当て板５３を貫通している。それぞれのボルト５２，５７は、ナットプレート５４に螺合されている。
【００４１】
また、並行するスライド溝３２，３３のそれぞれに対して、互いに異なる位置で２つのボルト（ボルト５２が２つまたはボルト５７が２つ）のそれぞれの軸部を通すことで、スライド溝３２，３３の延在方向に対して、連結部材１６が傾斜することなく、スライド溝３２，３３の延在方向に沿うように、連結部材１６をスライドさせることが可能となる。
これにより、楽器用キャリア１０を装着した演奏者の腹に対して、容易に腹当て部材１１を当接するように高さを調整することができる。
【００４２】
また、板状とされた腹当て部材本体３１は、板部材４１，４２間に配置され、ボルト５２，５７を締めることで位置を保持する一方、ボルト５２，５７を緩めるだけで腹当て部材本体３１と板部材４１，４２を分解・分離されることなく、位置をずらすことで、腹当て部材本体３１に対する板部材４１，４２との位置関係を調整できる。
このため、板部材４１，４２に対して腹当て部材本体３１がスライド溝３２，３３の延在方向にスライドすることで容易に調整できる。
また、腹当て部材本体３１の正面３１ａと板部材４１の背面とが面接触するとともに、腹当て部材本体３１の背面３１ｂと板部材４２の正面とが面接触するように挟持して位置関係を保持することで、一面のみで面接触してスライドする場合と比較して、抵抗を大きくすることが可能となる。これにより、演奏時に楽器用キャリアが演奏者の体からずれることを抑制できる。
【００４３】
肩当て部材１８は、一対の肩当て部材本体６１と、スライド部材６２と、複数のワッシャープレート６４と、複数のボルト６５と、複数のナット６６と、を有する。  
肩当て部材本体６１は、例えば、板材を湾曲させることで形成される。肩当て部材本体６１は、先に説明した第１の湾曲部４１−１，４２−１の湾曲よりも大きく湾曲した形状とされている。楽器用キャリア１０の軽量化の観点から、肩当て部材本体６１の材料としては、例えば、アルミニウムを用いることができる。
【００４４】
図６は、図２に示すスライド部材の正面図である。図６において、図１〜図５に示す構造体と同一構成部分には、同一符号を付す。
【００４５】
スライド部材６２は、Ｕ字形状とされた板状の部材であるスライド部材本体８１と、スライド溝８２〜８４と、ボルト穴８５と、を有する。
スライド部材６２は、その下部に第１の湾曲部４１−１，４２−１の湾曲形状に対応した形状を有する第２の湾曲部６２−１（肩当て部材１８の一部）を有する。
【００４６】
第２の湾曲部６２−１は、中空円筒をその軸線に沿って切った一部で構成される形状を成し、一対の第１の湾曲部４１−１，４２−１間に形成される湾曲した空間内をスライド可能で、かつ第２の湾曲部６２−１の二面が一対の第１の湾曲部４１−１，４２−１のそれぞれの対向する一面と接触する形状とされている。
第２の湾曲部６２−１は、一対の第１の湾曲部４１−１，４２−１間に形成された隙間に挿入されている。第２の湾曲部６２−１は、一対の第１の湾曲部４１−１，４２−１の湾曲面の円弧に沿って案内されながらスライドする。
楽器用キャリア１０の軽量化の観点から、スライド部材本体８１の材料としては、例えば、アルミニウムを用いることができる。
【００４７】
３つのスライド溝８２〜８４は、第２の湾曲部６２−１の中央部を貫通するように設けられている。スライド溝８２〜８４は、第２の湾曲部６２−１の湾曲方向に互いに並行して延在する溝である。
スライド溝８２〜８４のそれぞれの溝幅は、ボルト２２−１〜２２−３の軸部が通過可能で、かつボルト２２−１〜２２−３の頭部及びワッシャープレート２１が通過不可能な大きさに設定されている。
ボルト穴８５は、Ｕ字形状とされたスライド部材本体８１の両端部に設けられている。ボルト穴８５は、スライド部材本体８１を貫通するように設けられている。ボルト穴８５には、ボルト６５が螺合される。
【００４８】
ボルト６５は、ワッシャープレート６４を介して、肩当て部材本体６１の一方の端部とスライド部材６２のボルト穴８５の正面側とが重なる部分を貫通している。ボルト６５は、スライド部材６２の背面側に配置されたナット６６に螺合されている。これにより、スライド部材６２の両端と一対の肩当て部材本体６１のそれぞれとが連結される。
【００４９】
ボルト２２−１は、スライド溝８２に軸部が挿入されており、ワッシャープレート２１とナットプレート２４とで一対の第１の湾曲部４１−１，４２−１及び当て板２３を挟み込むように、ナットプレート２４に螺合されている。ボルト２２−１の軸部の径は、スライド溝８２の幅よりも狭くなるように構成されている。
ボルト２２−２，２２−３は、それぞれスライド溝８３，８４に軸部が挿入されており、ボルト２２−１と同様にナットプレート２４に螺合されている。
【００５０】
このように、板材を湾曲させることで構成された一対の第１の湾曲部４１−１，４２−１及び第２の湾曲部６２−１を、ボルト２２−１，２２−２，２２−３、ワッシャープレート２１、及びナットプレート２４を用いて連結させることで、従来の支持ロッドに締付ロッドホルダをねじで締結することで形成される出っ張り（特許文献１参照）よりも小さな出っ張りで連結部材１６と肩当て部材１８とを連結することが可能となる。
これにより、楽器用キャリア１０の見栄えを良くすることができるとともに、演奏者が衣装の下に楽器用キャリア１０を装着した場合に衣装が破損することを抑制できる。
【００５１】
また、一対の第１の湾曲部４１−１，４２−１間に配置される第２の湾曲部６２−１に設けられたスライド溝８２〜８４にボルト２２−１，２２−２，２２−３の軸部を配置し、１枚のナットプレート２４に螺合させることで、ボルト２２−１，２２−２，２２−３を緩めたときには、楽器用キャリア１０を装着する演奏者の体型に応じて、スライド溝８２〜８４の延在方向（図５に示すＡ方向）に第２の湾曲部６２−１を円弧状に連続してスライドさせることが可能となる。
これにより、楽器用キャリア１０を装着する演奏者の体型に合わせて、肩当て部材１８の角度や頂点の位置を、湾曲部の大きな曲率の円弧に沿って容易に調整でき、ボルト２２−１，２２−２，２２−３を締めることで、湾曲部の大きな曲率の曲面同士を接触した状態で保持できるので、演奏時に楽器用キャリア１０が演奏者の体からずれることを抑制できる。
【００５２】
先に説明したように、第１の湾曲部４１−１，４２−１及び第２の湾曲部６２−１は、板材を湾曲させることで形成されている。このため、一対の第１の湾曲部４１−１，４２−１に対して第２の湾曲部６２−１が従来のロッドの丸棒を保持するものより大きな曲率で形成でき、第２の湾曲部６２−１の凸側と凹側の両曲面と一対の第１の湾曲部４１−１，４２−１のそれぞれの対向する面とが挟持される形で面接触する。
これにより、大きな曲率で支持できるとともに接触する面積が増えて保持力が大きくなり、楽器用キャリア１０が演奏者の体に密着した状態を維持しやすくなるので、演奏時に楽器用キャリア１０が演奏者の体からずれることを抑制できる。
【００５３】
また、一対の第１の湾曲部４１−１，４２−１、及び第２の湾曲部６２−１が円弧形状であるため、円弧状に湾曲方向に沿ってスライドした第２の湾曲部６２−１の回転角度を連続的に調整することができる。
【００５４】
図７は、図４に示す楽器用キャリアを痩せた体型の演奏者が装着した状態を模式的に示す側面図である。図８は、図４に示す楽器用キャリアを太った体型の演奏者が装着した状態を模式的に示す側面図である。
図７及び図８において、図１〜図６に示す構造体と同一構成部分には、同一符号を付す。また、図７及び図８では、説明の便宜上、一対の第１の湾曲部４１−１、及び第２の湾曲部６２−１を断面で図示する。
【００５５】
ここで、演奏者の体型に応じて、第２の湾曲部６２−１がどのようにスライドして、楽器用キャリア１０が演奏者に装着されるかについて説明する。
痩せた体型（腹厚の小さい体型）の演奏者Ｂが楽器用キャリア１０を装着すると、演奏者Ｂの体の厚さが薄いため、一対の第１の湾曲部４１−１，４２−１に沿って第２の湾曲部６２−１が下方にスライドする。これにより、肩当て部材１８の頂点Ｔ１が連結部材１６に近い位置に配置される。そして、このような位置において、演奏者Ｂの肩と肩当て部材１８との接触面積が多い状態となる。
【００５６】
太った体型（腹厚の大きい体型）の演奏者Ｃが楽器用キャリア１０を装着すると、演奏者Ｃの体の厚さが厚いため、一対の第１の湾曲部４１−１，４２−１の湾曲面に沿って第２の湾曲部６２−１が上方にスライドし、肩当て部材１８の頂点Ｔ２が連結部材１６から遠い位置（図７に示す頂点Ｔ１よりも遠い位置）に形成される。
そして、このような位置において、演奏者Ｃの肩と肩当て部材１８との接触面積が多い状態となる。
【００５７】
上述したように、一対の第１の湾曲部４１−１，４２−１の湾曲面に沿って第２の湾曲部６２−１がスライドすることで、肩当て部材１８の角度及び頂点の位置を変化させることが可能となる。これにより、様々な体型の演奏者の肩と肩当て部材１８との接触面積を増加させることができる。
【００５８】
なお、図示してはいないが、必要に応じて、腹当て部材本体３１の背面３１ｂや演奏者の胸と接触する連結部材１６の面（板部材４２の背面）や演奏者の肩と接触する肩当て部材１８の下面に、演奏者の腹部、胸部や肩等を保護するクッション部材を設けてもよい。これにより、楽器用キャリア１０を用いて重量の重い楽器を支持した場合でも、演奏者と接触する部位が痛くなることを抑制できる。
【００５９】
図１〜図４を参照するに、背当て部材１９は、一対の肩当て部材本体６１の他方の端部を連結するための帯状の部材である。
背当て部材１９の両端は、ワッシャープレート２６、ボルト２７、及びナットプレート２８により、一対の肩当て部材本体６１の他方の端部に連結されている。背当て部材１９は、演奏者の背中に当接される部材である。
【００６０】
本実施の形態の楽器用キャリア１０によれば、連結部材１６に面接触した状態で肩当て部材１８の延在方向にスライド可能な構成肩当て部材１８を有することで、従来の支持ロッドに締付ロッドホルダをねじで締め付けることで形成される出っ張り（特許文献１参照）よりも小さな出っ張りで連結部材１６と肩当て部材１８とを連結することが可能となる。
これにより、楽器用キャリア１０の見栄えを良くすることができるとともに、演奏者が衣装の下に楽器用キャリア１０を装着した場合に衣装が破損することを抑制できる。
また、連結部材１６に対して面接触で肩当て部材１８をスライドさせることで、肩当て部材がスライドするときに発生する抵抗が大きくなるので、連結部材１６が肩当て部材１８を保持する力（保持力）を向上させることが可能となる。これにより、演奏時に楽器用キャリア１０が演奏者の体からずれることを抑制できる。
【００６１】
なお、本実施の形態では、一例として、演奏者の胸に当接される部分に一対の第１の湾曲部４１−１，４２−１及び第２の湾曲部６２−１を設けた場合を例に挙げて説明したが、一対の第１の湾曲部４１−１，４２−１及び第２の湾曲部６２−１の配設位置は、これに限定されない。
一対の第１の湾曲部４１−１，４２−１及び第２の湾曲部６２−１は、例えば、板部材４１，４２と腹当て部材３１の間に配置してもよいし、板部材４１，４２と肩当て部材本体６１の間に配してもよい。
さらには、板部材４１，４２を省略し、腹当て部材３１とスライド部材６２のそれぞれを板状に延設し、そのそれぞれに第１の湾曲部４１−１，４２−１及び第２の湾曲部６２−１を設けるようにしてもよい。このような場合も本実施の形態と同様な効果を得ることができる。
【００６２】
また、本実施の形態では、一例として、肩当て部材本体６１と、スライド部材６２と、が別体とされた肩当て部材１８を用いた場合を例に挙げて説明したが、肩当て部材本体６１とスライド部材６２とが一体とされた肩当て部材を用いてもよい。
【００６３】
また、一対の第１の湾曲部４１−１，４２−１及び第２の湾曲部６２−１の大きさ（例えば、湾曲の曲率半径の大きさや円弧を成す角度）や湾曲の程度は、図４及び図５に示す一対の第１の湾曲部４１−１，４２−１及び第２の湾曲部６２−１に限定されない。
一対の第１の湾曲部４１−１，４２−１及び第２の湾曲部６２−１の大きさ（例えば、湾曲の曲率半径の大きさや円弧を成す角度）や湾曲の程度を変更することで、肩当て部材１８の半径の大きさや頂点の位置等を変化させることが可能となる。これにより、体型の異なるより多くの演奏者に適用することが可能となる。
【００６４】
例えば、半径の大きさや頂点の位置等が異なる複数種類のスライド部材と、これらに対応する一対の第１の湾曲部を含む連結部材と、をそれぞれ用意し、演奏者の体型に応じて、複数のスライド部材及び連結部材を使い分けることで、体型の異なるより多くの演奏者に適用することができる。
【００６５】
また、本実施の形態では、一例として、背当て部材１９と連結され、演奏者の腰に当接される腰当て部材を有していない楽器用キャリア１０を例に挙げて説明したが、本発明は、腰当て部材を有する楽器用キャリアにも適用可能である。
【００６６】
また、本実施の形態では、スライド部材６２が３つのスライド溝（具体的には、スライド溝８２〜８４）を有する場合を例に挙げて説明したが、スライド部材６２に形成するスライド溝を形成する場合、ひとつでもあればよく、３つに限定されない。
スライド溝が２つ以上であれば、図５に示すＡ方向に安定してスライド部材６２をスライドさせることが可能となる。
【００６７】
例えば、ボルト２２−１，２２−２，２２−３の出っ張りが気になる場合には、半球形状とされた樹脂により、ボルト２２−１，２２−２，２２−３の頭部を被覆してもよい。
これにより、ボルト２２−１，２２−２，２２−３の頭部が直接、衣装に引っ掛かったり局所的に擦れたりすることがなくなるため、衣装の損傷をより抑制することができる。
【００６８】
また、本実施の形態では、スライド溝８２〜８４と穴にボルト２２−１〜２２−３の軸部を通してナットプレートで締めることで位置を保持する構成としたが、ボルトとナットではなく、カムレバーロック式を用いてもよいし、他の部材・構成で締結するようにしてもよい。
【００６９】
なお、本実施形態では、一対の板部材４１、４２の両端側で腹当て部材３１とスライド部材６２を挟持して連結する構成としたが、連結部材を一枚の板部材としてそれに対して、腹当て部材３１とスライド部材６２のそれぞれを面接触させてボルト・ナットあるいは他の締結部材で位置を保持する構成としてもよい。
【００７０】
図９は、連結部材を１枚にした変形例を示す側面図である。図９において、図１〜図５に示す構造体と同一構成部分には、同一符号を付す。図９では、図５に示す肩当て部材１８も図示する。
【００７１】
連結部材８９は、連結部材８９は、一枚の板部材で構成されている。連結部材８９の下端部には、図示しない前述の腹当て部材３１が連結部材８９の対向面と面接触させてボルト及びナットプレートで締結されている。
【００７２】
また、連結部材８９を用いる場合、演奏者側に連結部材８９を配置し、連結部材８９の正面側にスライド部材６２を配置し、連結部材８９の正面側の面とスライド部材６２の背面側の面を面接触させてボルト２２−１，２２−２，２２−３とナットプレート２４で締結するとよい。
このように、演奏者側に連結部材８９を配置し、連結部材８９の正面側にスライド部材６２を配置することで、連結部材８９をスライド部材６２の正面側に配置させた場合と比較して、連結部材８９の厚さ分、出っ張りを小さくすることが可能となるので、衣装の中に楽器用キャリアを装着する際に、衣装の損傷をさらに抑制できる。
なお、連結部材８９を用いる場において、演奏者側にスライド部材６２を配置し、スライド部材６２の正面側に連結部材８９を配置してもよい。
【００７３】
また、本実施の形態では、無段階調整ができるようにスライド溝８２〜８３に沿ってボルト２２−１〜２２−３の軸部をスライドさせることができる構成としたが、スライド溝に変えて、第１の湾曲部４１−１，４２−１及び第２の湾曲部６２−１に湾曲方向（実施形態のスライド溝の方向）に沿って、ボルトを通す複数（例えば３つ）の穴をあけておき、それらの中から所望の角度にあった穴にボルトを通して、板部材４１，４２と肩掛け部材１８の向き（位置関係）を固定する構造としてもよい。
この場合、無段階ではなく多段階での調整となるが、スライド溝の構成よりも良好に板部材４１，４２と肩掛け部材１８の向き（位置関係）を保持できる。
【００７４】
図１０は、４段階で調整可能な構成として、一対の板部材を省略し、腹当て部材及び肩掛け部材との間で直接連結する構成である変形例についてその主要部を示す側面図である。図１０において、図５に示す構造体と同一構成部分には、同一符号を付す。
【００７５】
腹当て部材９１は、上述の腹当て部材３１と同様の構成を有し、さらにその中央部から板部材４１と同様の形状の延設部９１−１が延設されている。延設部９１−１には、屈曲部９１−２が形成されている。
屈曲部９１−２は、肩掛け接続部材８８と対向する部分に、４つの平坦面９３−１，９３−２，９３−３，９３−４が角度を持ってつながることで形成される。屈曲部９１−２を構成する４つの面には、それぞれに図面視奥行き方向に配された３つのボルト２９（前述の２２−１〜２２−３と同様な構成とされたボルト）が貫通する穴９２−１，９２−２，９２−３，９２−４が形成される。屈曲部９１−２の肩掛け接続部材８８と対向しない側は、湾曲面が形成されている。
【００７６】
肩当て部材９０は、一部を除き前述のスライド部材６２と同様の構造であり、Ｕ字形状とされた板状の部材である肩掛け接続部材８８と、連結ボルト穴８８Ａと、ボルト穴（図示せず）と、を有する。
肩掛け接続部材８８の両端部には、ボルト穴（図示せず）に、前述のスライド部材６２と同様に、図示しない肩掛け部材６１がボルト６５とナット６６とで接続される。
肩掛け接続部材８８の中央部には腹当て部材９１の屈曲部９１−２と対向する屈曲部８８−１が形成される。屈曲部８８−１は、７つの平坦面が角度を持ってつながることで形成される。屈曲部８８−１に形成される１つの面に連結ボルト穴８８Ａが設けられている。連結ボルト穴８８Ａは、腹当て部材９１の屈曲部９１−２が対向している状態で穴９２−１，９２−２，９２−３，９２−４のいずれか一つと連結ボルト２９が貫通した状態でナット２４に螺合することで、腹当て部材９１と肩当て部材９０が連結される。
このような構成とされた腹当て部材９１と肩当て部材９０は、屈曲部９１−２を形成する４つの平坦面９３−１，９３−２，９３−３，９３−４のいずれかが連結ボルト２９を有する面に選択的に合せられ、その合せられた状態で連結ボルト２９とナット２４によって締結されることによって、腹当て部材９１と肩当て部材９０の角度の関係が異なる４つの姿勢のいずれかを安定してとることができる。
【００７７】
したがって、このような構成を適用した場合、肩当て部材９０は、腹当て部材９１に対して、面接触した状態で、かつ多段階で、腹当て部材９１と肩当て部材９０の角度の関係が異なる４つの姿勢のいずれかをとることができる。
このような構成とした場合も、先に説明した楽器用キャリア１０と同様な効果を得ることができる。
【００７８】
以上、本発明の好ましい実施の形態について詳述したが、本発明はかかる特定の実施の形態に限定されるものではなく、特許請求の範囲内に記載された本発明の要旨の範囲内において、種々の変形・変更が可能である。
【符号の説明】
【００７９】
１０…楽器用キャリア、１１，９１…腹当て部材、１２…ロッドクランプ、１４…ロッド、１６，８９…連結部材、１８，９０…肩当て部材、１９…背当て部材、２１，２６，３８，４６，５１，５６，６４…ワッシャープレート、２２−１，２２−２，２２−３，２７，２９，３９，４７，５２，５７，６５…ボルト、２３，５３…当て板、２４，２８，４９，５４…ナットプレート、３１…腹当て部材本体、３１ａ…正面、３１ｂ…背面、３２，３３…スライド溝、３５…ロッド収容部、３６…突出部、３７…ねじ、４１，４２…板部材、４１−１，４１−２…第１の湾曲部、４４…スペーサ、６１…肩当て部材本体、６２…スライド部材、６２−１…第２の湾曲部、６６…ナット、８１…スライド部材本体、８２〜８４…スライド溝、８５…ボルト挿入穴、８８…肩掛け接続部材、８８Ａ…連結ボルト穴、９１−１…延設部、９１−２…屈曲部、９２−１〜９２−４…穴、９３−１〜９３−４…平坦面、Ａ…スライド方向、Ｂ，Ｃ…演奏者、Ｔ１，Ｔ２…頂点
【図１】
0006648458.tif 000002
【図２】
0006648458.tif 000003
【図３】
0006648458.tif 000004
【図４】
0006648458.tif 000005
【図５】
0006648458.tif 000006
【図６】
0006648458.tif 000007
【図７】
0006648458.tif 000008
【図８】
0006648458.tif 000009
【図９】
0006648458.tif 000010
【図１０】
0006648458.tif 000011